(57)【要約】マルチ・チャンネル衛星放送信号の受信装置（１００、２００）は、１つの衛星放送システムに於いて、複数の異なる組のトランスポンダからの各放送番組を同時に提供できる。一実施例に従えば、マルチ・チャンネル衛星放送信号受信装置（１００、２００）には、第１と第２のサブバンドを有する所定周波数帯域から単一のケーブルを介して入力信号を受信するように動作する入力（１０）が含まれている。第１のサブバンドには、第１の組のトランスポンダから与えられた第１の偏波を以前に呈していた第１の各信号が含まれ、第２のサブバンドには、第２の組のトランスポンダから与えられた第２の偏波を以前に呈していた第２の各信号が含まれている。信号処理回路（２０〜７０）が、第１と第２の各信号に応答して、第１と第２の組のトランスポンダに対応する複数のデジタル伝送ストリームを同時に供給するように動作する。
2006522564.tif 000002
【特許請求の範囲】
【請求項１】
マルチ・チャンネル衛星放送信号の受信装置（１００、２００）であって、
第１の組のトランスポンダから与えられた第１の偏波を以前に呈していた、第１の各信号を含む第１のサブバンドと、第２の組のトランスポンダから与えられた第２の偏波を以前に呈していた、第２の各信号を含む第２のサブバンドとを有する所定周波数帯域から、単一のケーブルを介して入力信号を受信する入力手段（１０）と、
前記第１と第２の各信号に応答して、前記第１と第２の組のトランスポンダに対応する複数のデジタル伝送ストリームを同時に供給する処理手段（２０〜７０）と、
を含むマルチ・チャンネル衛星放送信号の受信装置。
【請求項２】
前記デジタル伝送ストリームの各々には、放送番組が含まれている、請求項１記載のマルチ・チャンネル衛星放送信号の受信装置（１００、２００）。
【請求項３】
前記第１のサブバンドが約９５０ＭＨｚから約１４５０ＭＨｚであり、
前記第２のサブバンドが約１６５０ＭＨｚから約２１５０ＭＨｚである、
請求項１記載のマルチ・チャンネル衛星放送信号の受信装置（１００、２００）。
【請求項４】
前記第１の組のトランスポンダには奇数番号のトランスポンダが含まれ、
前記第２の組のトランスポンダには偶数番号のトランスポンダが含まれている、
請求項１記載のマルチ・チャンネル衛星放送信号の受信装置（１００、２００）。
【請求項５】
前記処理手段（２０〜７０）には、前記第１と第２のサブバンドを分離する濾波手段（２０、３０）が含まれている、請求項１記載のマルチ・チャンネル衛星放送信号の受信装置（１００、２００）。
【請求項６】
前記濾波手段（２０、３０）には、ハイ・パス・フィルタ（２０）とロー・パス・フィルタ（３０）とが含まれている、請求項５記載のマルチ・チャンネル衛星放送信号の受信装置（１００、２００）。
【請求項７】
前記処理手段（２０〜７０）には、第１のアナログ／デジタル変換を行う第１のアナログ／デジタル変換手段（４０）と、
第２のアナログ／デジタル変換を行う第２のアナログ／デジタル変換手段（５０）と、
が含まれ、
共通クロック（ＣＬＫ）が前記第１と第２のアナログ／デジタル変換手段（４０、５０）を制御する、
請求項１記載のマルチ・チャンネル衛星放送信号の受信装置（１００、２００）。
【請求項８】
前記共通クロック（ＣＬＫ）が前記第１と第２のサブバンドとの間の周波数を示す、請求項７記載のマルチ・チャンネル衛星放送信号の受信装置（１００、２００）。
【請求項９】
マルチ・チャンネル衛星放送信号の受信装置を動作させる方法（３００）であって、
第１の組のトランスポンダから与えられた第１の偏波を以前に呈していた、第１の各信号を含む第１のサブバンドと、第２の組のトランスポンダから与えられた第２の偏波を以前に呈していた、第２の各信号を含む第２のサブバンドとを有する所定周波数帯域から、単一のケーブルを介して入力信号を受信するステップと、
前記第１と第２の各信号を処理して、前記第１と第２の組のトランスポンダに対応する複数のデジタル伝送ストリームを同時に供給するステップと、
を含む方法。
【請求項１０】
前記デジタル伝送ストリームの各々には、放送番組が含まれている、請求項９記載の方法（３００）。
【請求項１１】
前記第１のサブバンドが約９５０ＭＨｚから約１４５０ＭＨｚであり、
前記第２のサブバンドが約１６５０ＭＨｚから約２１５０ＭＨｚである、
請求項９記載の方法（３００）。
【請求項１２】
前記第１の組のトランスポンダには奇数番号のトランスポンダが含まれ、
前記第２の組のトランスポンダには偶数番号のトランスポンダが含まれている、
請求項９記載の方法（３００）。
【請求項１３】
前記供給するステップには、前記第１と第２のサブバンドを分離する濾波処理が含まれている、請求項９記載の方法（３００）。
【請求項１４】
前記濾波処理には、高域通過濾波処理と低域通過濾波処理とが含まれている、請求項１３記載の方法（３００）。
【請求項１５】
前記供給するステップには、
第１のアナログ／デジタル変換処理と、
第２のアナログ／デジタル変換処理と、
が含まれ、
共通クロック（ＣＬＫ）が前記第１と第２のアナログ／デジタル変換処理を制御する、
請求項９記載の方法（３００）。
【請求項１６】
前記共通クロック（ＣＬＫ）が前記第１と第２のサブバンドとの間の周波数を示す、請求項１５記載の方法（３００）。
【請求項１７】
マルチ・チャンネル衛星放送信号の受信装置（１００、２００）であって、
第１の組のトランスポンダから与えられた第１の偏波を以前に呈していた、第１の各信号を含む第１のサブバンドと、第２の組のトランスポンダから与えられた第２の偏波を以前に呈していた、第２の各信号を含む第２のサブバンドとを有する所定周波数帯域から、単一のケーブルを介して入力信号を受信するように動作する入力端（１０）と、
前記第１と第２の各信号に応答して、前記第１と第２の組のトランスポンダに対応する複数のデジタル伝送ストリームを同時に供給するように動作する信号処理回路（２０〜７０）と、
を含むマルチ・チャンネル衛星放送信号の受信装置。
【請求項１８】
前記デジタル伝送ストリームの各々には、放送番組が含まれている、請求項１７記載のマルチ・チャンネル衛星放送信号の受信装置（１００、２００）。
【請求項１９】
前記第１のサブバンドが約９５０ＭＨｚから約１４５０ＭＨｚであり、
前記第２のサブバンドが約１６５０ＭＨｚから約２１５０ＭＨｚである、
請求項１７記載のマルチ・チャンネル衛星放送信号の受信装置（１００、２００）。
【請求項２０】
前記第１の組のトランスポンダには奇数番号のトランスポンダが含まれ、
前記第２の組のトランスポンダには偶数番号のトランスポンダが含まれている、
請求項１７記載のマルチ・チャンネル衛星放送信号の受信装置（１００、２００）。
【請求項２１】
前記信号処理回路（２０〜７０）には、前記第１と第２のサブバンドを分離するように動作する濾波回路（２０、３０）が含まれている、請求項１７記載のマルチ・チャンネル衛星放送信号の受信装置（１００、２００）。
【請求項２２】
前記濾波回路（２０、３０）には、ハイ・パス・フィルタ（２０）とロー・パス・フィルタ（３０）とが含まれている、請求項２１記載のマルチ・チャンネル衛星放送信号の受信装置（１００、２００）。
【請求項２３】
前記信号処理回路（２０〜７０）には、
第１のアナログ／デジタル変換を行うように動作する第１のアナログ／デジタル変換器（４０）と、
第２のアナログ／デジタル変換を行うように動作する第２のアナログ／デジタル変換器（５０）と、
が含まれ、
共通クロック（ＣＬＫ）が前記第１と第２のアナログ／デジタル変換器（４０、５０）を制御する、
請求項１７記載のマルチ・チャンネル衛星放送信号の受信装置（１００、２００）。
【請求項２４】
前記共通クロック（ＣＬＫ）が前記第１と第２のサブバンドとの間の周波数を示す、請求項２３記載のマルチ・チャンネル衛星放送信号の受信装置（１００、２００）。
【発明の詳細な説明】
【技術分野】
【０００１】
本発明は、一般に、マルチ・チャンネル信号の受信機に関し、詳しくは、衛星放送システムに於いて複数の異なる組のトランスポンダから各放送番組を同時に提供できるマルチ・チャンネル衛星放送信号の受信装置に関する。
【背景技術】
【０００２】
衛星放送システムに於いて、衛星が、地上の送信機から、オーディオ情報、ビデオ情報、および／または、データ情報を表す各信号を受信する。衛星は、これらの信号を増幅して、その増幅信号を、指定周波数で動作し所定帯域幅を有する各トランスポンダを介して、各消費者の住宅に設置された衛星放送信号受信機に中継放送する。このようなシステムには、アップリンク送信部分（例えば、地上から衛星）と、地球周回軌道衛星放送信号送受信ユニットと、各消費者の住宅に設置された１つ以上の衛星放送信号受信機を含むダウンリンク部分（例えば、衛星から地上）が含まれている。
【０００３】
少なくとも１つの既存の衛星放送システムが動作する際、第１の組の各トランスポンダは、送信する各信号に対して第１の偏波（例えば、右円偏波）を与え、第２の組の各トランスポンダは、送信する各信号に対して第２の偏波である逆偏波（例えば、左円偏波）を与える。現在の衛星放送信号受信機には、特定の受信機が、第１と第２の両方の組の各トランスポンダから各信号を同時に受信できないという問題がある。詳しく述べると、一般的な衛星アンテナ・システムはロー・ノイズ・ブロック変換器（ＬＮＢ）を使用しており、この変換器は、第１の組のトランスポンダ、或いは、第２の組のトランスポンダのどちらか一方からの放送信号を選択的に特定の衛星放送信号受信機に供給するが、両方の組のトランスポンダからの放送信号を同時には供給できない。従って、特定の衛星放送信号受信機は、両方の組のトランスポンダから供給される各放送番組に同時にはアクセスできない。その結果、ユーザが、第１の組のトランスポンダから供給される放送番組から第２の組のトランスポンダから供給される別の放送番組に切り換えるチャンネル変更命令を出すと、特定の衛星放送信号受信機は、ＬＮＢを、第１の組のトランスポンダから第２の組のトランスポンダへ切り換える必要があり、従って、チャンネル変更に要する時間が増大する場合がある。このような衛星放送信号受信機について、もう１つ別の重大な問題は、ユーザが、第１の組のトランスポンダから供給される放送番組を見ながら、同時に、第２の組のトランスポンダから供給される別の放送番組をレコーディングできないことである。これらの問題に対する通常のアプローチは、単純に、ＬＮＢから衛星放送信号受信機へ２本のケーブル（例えば、各トランスポンダ組について１本ずつのケーブル）を設けることである。しかし、このアプローチは、ユーザにとって非実用的で且つコスト高になりがちであるため、望ましくない。
【０００４】
従って、上述の各問題を回避し、且つ、衛星放送システムに於いて、複数の異なる組のトランスポンダからの各放送番組を同時に提供する、マルチ・チャンネル衛星放送信号の受信装置が必要である。
【発明の開示】
【０００５】
（発明の概要）
本発明の１つの形態に従って、マルチ・チャンネル受信装置を開示する。一実施例に従えば、マルチ・チャンネル受信装置には、第１と第２のサブバンドを有する所定周波数帯域から単一のケーブルを介して入力信号を受信する入力手段が含まれている。第１のサブバンドには、第１の組のトランスポンダから与えられた第１の偏波を以前に呈していた第１の各信号が含まれ、第２のサブバンドには、第２の組のトランスポンダから与えられた第２の偏波を以前に呈していた第２の各信号が含まれている。処理手段が、第１と第２の各信号に応答して、第１と第２の組のトランスポンダに対応する複数のデジタル伝送ストリームを同時に供給する。
【０００６】
本発明の別の形態に従って、マルチ・チャンネル衛星放送信号の受信装置を動作させる方法を開示する。一実施例に従えば、この方法には、第１と第２のサブバンドを有する所定周波数帯域から単一のケーブルを介して入力信号を受信するステップが含まれている。第１のサブバンドには、第１の組のトランスポンダから与えられた第１の偏波を以前に呈していた第１の各信号が含まれ、第２のサブバンドには、第２の組のトランスポンダから与えられた第２の偏波を以前に呈していた第２の各信号が含まれている。第１と第２の各信号を処理して、第１と第２の組のトランスポンダに対応する複数のデジタル伝送ストリームを同時に供給する。
【０００７】
本発明について上述した特徴と利点およびその他の特徴と利点並びにそれらを得る技術は、添付図面に関連して以下に為される本発明の各実施例の説明により、更に明らかになり、従って、本発明を更に良く理解できるであろう。
【０００８】
ここに記載する各実例は、本発明の各推奨実施例を説明するものであり、決して本発明の範囲を限定するものではない。
【発明を実施するための最良の形態】
【０００９】
添付図面の図１には、本発明の一実施例に従うマルチ・チャンネル衛星放送信号の受信装置１００のブロック図が示されている。図１に示されるように、マルチ・チャンネル衛星放送信号の受信装置１００には、入力ブロック１０といった入力手段と、信号処理回路２０乃至７０といった処理手段とが含まれている。信号処理回路２０乃至７０には、ハイ・パス・フィルタ（ＨＰＦ）２０といった第１の濾波手段と、ロー・パス・フィルタ（ＬＰＦ）３０といった第２の濾波手段と、第１のＡ／Ｄ変換器４０といった第１のアナログ／デジタル（Ａ／Ｄ）変換手段と、第２のＡ／Ｄ変換器５０といった第２のアナログ／デジタル変換手段と、デジタル信号処理（ＤＳＰ）チューナ６０といったデジタル信号処理手段と、伝送プロセッサ７０といった伝送処理手段とが含まれている。図１のこれらの構成要素は、集積回路（ＩＣ）を用いて実施してもよく、また、これらの構成要素のうち任意のものを、例えば、１つ以上のＩＣに含めてもよい。尚、説明を簡潔にするため、マルチ・チャンネル衛星放送信号の受信装置１００に関連する、ある種の通常の各要素、例えば、ある種の制御信号、電力信号、および／または、その他の要素は、図１に示されていない。
【００１０】
入力ブロック１０は、例えばＲＧ−６型同軸ケーブルといった単一のケーブル、および／または、その他の型のケーブルを介して、屋外装置のＬＮＢから各入力信号を受信する動作を行う。一実施例に従えば、入力ブロック１０が受信する各入力信号は、９５０ＭＨｚから２１５０ＭＨｚの所定周波数帯域を占有しており、更に、この各入力信号には、９５０ＭＨｚから１４５０ＭＨｚの第１のサブバンド（副帯域）中の第１の各信号と、１６５０ＭＨｚから２１５０ＭＨｚの第２のサブバンド中の第２の各信号とが含まれている。この一実施例に従えば、第１のサブバンド中の第１の各信号は、第１の組のトランスポンダから与えられた第１の偏波（例えば、右円偏波）をそれ以前に表わしていて、第２のサブバンド中の第２の各信号は、第２の組のトランスポンダから与えられた第２の偏波（例えば、左円偏波）をそれ以前に表わしていた。屋外装置のＬＮＢは、第１と第２の組のトランスポンダによって供給された第１と第２の各信号を処理して、それぞれ、第１と第２のサブバンド内に入れる。更に、この一実施例に従えば、総計３２個のトランスポンダが設けられ、第１の組のトランスポンダには、奇数番号のトランスポンダ（例えば、１、３、５、・・・、３１）が含まれ、第２の組のトランスポンダには、偶数番号のトランスポンダ（例えば、２、４、６、・・・、３２）が含まれている。尚、実際のトランスポンダの総計数は、これと異なってもよい。また、ここでいう第１と第２の組のトランスポンダは、例えば、１つの特定の衛星放送システム（この衛星放送システムは１つ以上の衛星を含む場合がある）内で動作する全ての、或いは、実質的に全てのトランスポンダであってよい。入力ブロック１０は、また、ある種の周知の処理動作、例えば、信号増幅、自動利得制御、濾波、および／または、その他の各動作を行う。
【００１１】
ＨＰＦ２０は、高域通過濾波動作を行い、それにより第１と第２のサブバンドを分離するように動作する。一実施例に従えば、ＨＰＦ２０は、１５５０ＭＨｚより高い周波数を有する信号を通過させる動作をする。従って、ＨＰＦ２０は、第２のサブバンド（例えば、１６５０ＭＨｚから２１５０ＭＨｚ）の信号を通過させ、第１のサブバンド（例えば、９５０ＭＨｚから１４５０ＭＨｚ）の信号を遮断する。ＬＰＦ３０は、低域通過濾波動作を行い、第１と第２のサブバンドを分離するように動作する。一実施例に従えば、ＬＰＦ３０は、１５５０ＭＨｚより低い周波数を有する信号を通過させる動作をする。従って、ＬＰＦ３０は、第１のサブバンド（例えば、９５０ＭＨｚから１４５０ＭＨｚ）の信号を通過させ、第２のサブバンド（例えば、１６５０ＭＨｚから２１５０ＭＨｚ）の信号を遮断する。
【００１２】
第１のＡ／Ｄ変換器４０は、ＨＰＦ２０から供給される信号をアナログ・フォーマットからデジタル・フォーマットに変換して、それにより第２のサブバンドからデジタル信号を生成するように動作する。第２のＡ／Ｄ変換器５０は、ＬＰＦ３０から供給される信号をアナログ・フォーマットからデジタル・フォーマットにデジタル化して、それにより第１のサブバンドからデジタル信号を生成するように動作する。一実施例に従えば、第１と第２のＡ／Ｄ変換器４０と５０は、共通クロック（ＣＬＫ）によって制御される。更に、一実施例に従えば、この共通クロック（ＣＬＫ）が呈する周波数は、第１のサブバンドと第２のサブバンドとの間に在る。例えば、共通クロック（ＣＬＫ）は、１５５０ＭＨｚの周波数を示してもよい。図１に示されているように、第１と第２のＡ／Ｄ変換器４０と５０は、それぞれ、共通クロック（ＣＬＫ）の異なる端部で動作する。図１には特に示されていないが、マルチプレクサを追加的に設けて、これが第１と第２のＡ／Ｄ変換器４０と５０から供給される各デジタル信号を受信して単一のデジタル・ストリームに合成するようにしてもよい。
【００１３】
ＤＳＰチューナ６０は、第１と第２のＡ／Ｄ変換器４０と５０から供給される各デジタル信号を処理して、それにより複数のデジタル処理された信号ストリームを同時に生成するように動作する。一実施例に従えば、ＤＳＰチューナ６０は、デジタル・チューニング（例えば、マルチ・チャンネル周波数ダウンコンバージョン）、デジタル濾波、抜き取り（ｄｅｃｉｍａｔｉｏｎ）、デジタル復調（例えば、４位相偏移変調（Ｑｕａｄｒａｔｕｒｅ  Ｐｈａｓｅ  Ｓｈｉｆｔ  Ｋｅｙｅｄ：ＱＰＳＫ）、直交振幅変調（Ｑｕａｄｒａｔｕｒｅ  Ａｍｐｌｉｔｕｄｅ  Ｍｏｄｕｌａｔｉｏｎ：ＱＡＭ）、および／または、その他の形式の復調）、および、前方誤り訂正（Ｆｏｒｗａｒｄ  Ｅｒｒｏｒ  Ｃｏｒｒｅｃｔｉｏｎ：ＦＥＣ）復号化機能を含む種々の処理機能を行うように動作する。更に、一実施例に従えば、ＤＳＰチューナ６０は、共通クロック（ＣＬＫ）の両端部で動作して、それにより第１と第２のＡ／Ｄ変換器４０と５０の２倍の処理速度を示す。この一実施例に従えば、ＤＳＰチューナ６０から供給される、デジタル処理された信号ストリームの各々は、特定のトランスポンダに対応しており、この信号ストリームの各々には、複数の時分割多重放送番組が含まれる場合がある。
【００１４】
伝送プロセッサ７０は、ＤＳＰチューナ６０から供給されるデジタル処理された各信号ストリームを処理して、それにより複数のデジタル伝送ストリームを同時に生成して出力するように動作する。前述の如く、ＤＳＰチューナ６０から供給されるデジタル処理された信号ストリームの各々は、特定のトランスポンダに対応している。従って、総計３２個のトランスポンダを有する衛星放送システムでは、伝送プロセッサ７０は、３２個の異なるデジタル処理された信号ストリームを入力として受信する。一実施例に従えば、伝送プロセッサ７０は、これらのデジタル処理された信号ストリームを、各々が１つの放送番組を含む複数のデジタル伝送ストリームに多重分離する。このようにして、第１と第２の両方の組のトランスポンダから供給される放送番組が、同時にアクセスできる。図１には特に示されていないが、伝送プロセッサ７０には、１つ以上のデジタル伝送ストリームを選択的に出力できるようにする入力選択機能が設けられてもよい。図１に示されるように、伝送プロセッサ７０から出力される各デジタル伝送ストリームは、更なる処理（例えば、デジタル復号化等）が施されてもよいし、そして／または、１つ以上のその他の装置に中継放送されてもよい。
【００１５】
図２には、本発明の別の実施例に従う、マルチ・チャンネル衛星放送信号の受信装置２００のブロック図が示されている。図２に示されるように、マルチ・チャンネル衛星放送信号の受信装置２００には、図１のマルチ・チャンネル衛星放送信号の受信装置１００の各構成要素と同じもの、或いは、類似したものが含まれており、それらの構成要素には、図１と図２の両方で、同じ参照番号を付している。説明を簡潔にするため、これらの共通の構成要素については、その説明を繰り返さないので、前述の説明を参照されたい。
【００１６】
図２に於いて、マルチ・チャンネル衛星放送信号の受信装置２００には、２つの分離したＤＳＰチューナ６０Ａおよび６０Ｂが含まれており、それぞれ、第１と第２のＡ／Ｄ変換器４０および５０から供給されるデジタル信号を処理して、それにより同時に複数のデジタル処理された信号ストリームを生成する。一実施例に従えば、ＤＳＰチューナ６０Ａおよび６０Ｂは、各々、デジタル・チューニング（例えば、マルチ・チャンネル周波数ダウンコンバージョン）、デジタル濾波、抜き取り（ｄｅｃｉｍａｔｉｏｎ）、デジタル復調（例えば、ＱＰＳＫ、ＱＡＭ、および／または、その他の形式の復調）、および、ＦＥＣ復号化機能を含む種々の処理機能を行うように動作する。図２の実施例では、ＤＳＰチューナ６０Ａが、第１の組のトランスポンダ（例えば、奇数番号の各トランスポンダ）に対応するデジタル処理された信号ストリームを供給し、ＤＳＰチューナ６０Ｂが、第２の組のトランスポンダ（例えば、偶数番号の各トランスポンダ）に対応するデジタル処理された信号ストリームを供給する。また、図２の実施例では、Ａ／Ｄ変換器４０および５０は、各々、共通クロック（ＣＬＫ）の同じ端部で動作するように構成してもよい。
【００１７】
本発明の創意に富んだ概念の理解を容易にするため、次に一例を挙げることにする。図３には、本発明の一実施例に従う各ステップを例示するフローチャート３００が示されている。尚、説明の便宜上、図３の各ステップは、例として図１と図２のマルチ・チャンネル衛星放送信号の受信装置１００および２００を基準にして説明する。また、図３の各ステップは、単なる例に過ぎず、決して本発明を限定するものではない。
【００１８】
ステップ３１０に於いて、マルチ・チャンネル衛星放送信号の受信装置１００／２００は、屋外衛星装置のＬＮＢから入力信号を受信する。一実施例に従えば、入力ブロック１０がステップ３１０に於いて各入力信号を受信し、この受信された各入力信号は９５０ＭＨｚから２１５０ＭＨｚの所定周波数帯域を占有しており、この所定周波数帯域には９５０ＭＨｚから１４５０ＭＨｚの第１のサブバンドと１６５０ＭＨｚから２１５０ＭＨｚの第２のサブバンドとが含まれている。この一実施例に従えば、第１のサブバンドには、第１の組のトランスポンダ（例えば、奇数番号のトランスポンダ）から与えられた第１の偏波（例えば、右円偏波）を以前に呈していた第１の各信号が含まれており、第２のサブバンドには、第２の組のトランスポンダ（例えば、偶数番号のトランスポンダ）から与えられた第２の偏波（例えば、左円偏波）を以前に呈していた第２の各信号が含まれている。前述したように、第１と第２の組のトランスポンダは、例えば、１つの特定の衛星放送システム（この衛星放送システムは１つ以上の衛星を含む場合がある）内で動作する全ての、或いは、実質的に全てのトランスポンダであってよい。
【００１９】
ステップ３２０に於いて、マルチ・チャンネル衛星放送信号の受信装置１００／２００は、第１と第２のサブバンドを分離する。一実施例に従えば、ステップ３２０に於いて、ＨＰＦ２０とＬＰＦ３０は、それぞれ、高域通過濾波処理と低域通過濾波処理によって、第１と第２のサブバンドを分離する。この一実施例に従えば、ＨＰＦ２０は、第２のサブバンド（例えば、１６５０ＭＨｚから２１５０ＭＨｚ）の信号を通過させ、第１のサブバンド（例えば、９５０ＭＨｚから１４５０ＭＨｚ）の信号を遮断する一方、ＬＰＦ３０は、第１のサブバンド（例えば、９５０ＭＨｚから１４５０ＭＨｚ）の信号を通過させ、第２のサブバンド（例えば、１６５０ＭＨｚから２１５０ＭＨｚ）の信号を遮断する。
【００２０】
ステップ３３０に於いて、マルチ・チャンネル衛星放送信号の受信装置１００／２００は、第１と第２のサブバンドに対応するデジタル信号を生成する。一実施例に従えば、ステップ３３０に於いて、第１と第２のＡ／Ｄ変換器４０および５０は、それぞれ、ＨＰＦ２０およびＬＰＦ３０から供給された信号をデジタル化することによって、デジタル信号を生成する。このようにして、第１のＡ／Ｄ変換器４０は、第１のサブバンドに対応するデジタル信号を生成し、第２のＡ／Ｄ変換器５０は、第２のサブバンドに対応するデジタル信号を生成する。
【００２１】
ステップ３４０に於いて、マルチ・チャンネル衛星放送信号の受信装置１００／２００は、ステップ３３０で生成されたデジタル信号を処理して、それにより複数のデジタル処理された信号ストリームを同時に生成する。一実施例に従えば、ステップ３４０に於いて、ＤＳＰチューナ６０が、デジタル・チューニング（例えば、マルチ・チャンネル周波数ダウンコンバージョン）、デジタル濾波、抜き取り（ｄｅｃｉｍａｔｉｏｎ）、デジタル復調（例えば、ＱＰＳＫ、ＱＡＭ、および／または、その他の形式の復調）、および、ＦＥＣ復号化機能を含む種々の処理機能を行うことによって、デジタル信号を処理する。前述の如く、ＤＳＰチューナ６０によって生成されたデジタル処理された信号ストリームの各々は、特定のトランスポンダに対応しており、この信号ストリームの各々には、複数の時分割多重放送番組が含まれる場合がある。
【００２２】
ステップ３５０に於いて、マルチ・チャンネル衛星放送信号の受信装置１００／２００は、複数のデジタル伝送ストリームを同時に供給する。一実施例に従えば、ステップ３５０に於いて、伝送プロセッサ７０は、ＤＳＰチューナ６０から供給されるデジタル処理された各信号ストリームを多重分離して、それにより複数のデジタル伝送ストリームを同時に供給する。前述の如く、伝送プロセッサ７０から供給されるデジタル伝送ストリームの各々には、１つの放送番組が含まれる場合がある。このようにして、第１と第２の両方の組のトランスポンダからの放送番組が、同時にアクセスできる。
【００２３】
前述の如く、本発明は、１つの衛星放送システムに於いて、複数の異なる組のトランスポンダからの放送番組を同時に提供できるマルチ・チャンネル衛星放送信号の受信装置を提供するものである。尚、本発明を推奨実施例として説明したが、本発明は、ここに開示した各事項の精神と範囲から逸脱することなく、更に修正・変更を加えることが出来る。本願は、本発明の全体の原理を使用した本発明のあらゆる変形例、用途、或いは、適用を包含するものである。更に、本願は、ここに開示されていないが、本発明が属する技術分野に於いて周知または通例の技術の範囲に在り、且つ、本願の特許請求の範囲の各請求項に規定された範囲内に在るようなものも包含するものである。
【図面の簡単な説明】
【００２４】
【図１】図１は、本発明の一実施例によるマルチ・チャンネル衛星放送信号の受信装置のブロック図である。
【図２】図２は、本発明の別の一実施例によるマルチ・チャンネル衛星放送信号の受信装置のブロック図である。
【図３】図３は、本発明の一実施例による各ステップを例示したフローチャートである。
【図１】
2006522564.tif 000003
【図２】
2006522564.tif 000004
【図３】
2006522564.tif 000005
【国際調査報告】
2006522564.tif 000006
2006522564.tif 000007